(57)【要約】【課題】現有の容器の強度を維持したまま、スーパーマーケットにおける汎用スタック棚に対応できる積み重ね高さに低減できるトレイ等の発泡樹脂製容器を提供すること。【解決手段】開口部がほぼ長方形を有し、側壁部と底部とが一体に成形された食品用容器であって、前記食品用容器は、食品用容器の側壁部の肉厚を底部の肉厚よりうすくするとともに、底部の厚みが２．５〜４．０ｍｍ、側壁部の厚みが１．５〜３．０ｍｍ、容器側壁部傾斜角θのタンジェントが１．２〜２．３、食品用容器の開口部長手方向の圧縮強度が１５００ｇ以上且つ前記食品用容器を１００枚積み重ねた高さが５００ｍｍ以下とする。【選択図】図１
2006076591.tif 000002
【特許請求の範囲】
【請求項１】
開口部がほぼ長方形を有し、側壁部と底部とが一体に成形された食品用容器であって、
前記食品用容器は、その側壁部の肉厚を底部の肉厚より薄くするとともに、底部の厚みが２．５〜４．０ｍｍ、側壁部の厚みが１．５〜３．０ｍｍ、容器側壁部傾斜角θのタンジェントが１．２〜２．３、前記開口部の長手方向の圧縮強度が１５００ｇ以上で、且つ前記食品用容器を１００枚積み重ねた高さが５００ｍｍ以下であることを特徴とする食品用容器。
【請求項２】
前記底部の中央部が底部端部よりも、側面側から見て底部外面が上方側に位置していることを特徴とする請求項１記載の食品用容器。
【請求項３】
前記側壁部には少なくとも一つの階段状の拡幅部分がその全周に亘りかつ底部と平行状態で形成されいることを特徴とする請求項１記載の食品用容器。
【請求項４】
前記側壁部の最上部に略水平方向に延出するフランジ（周縁部）を有していることを特徴とする請求項１記載の食品用容器。
【発明の詳細な説明】
【技術分野】
【０００１】
本発明は、肉や魚等の生鮮食料品等を収納するのに適した食品用容器に関し、特にロースタックトレイといわれる、容器を積み重ねた際の重ね高さを低くすることで、容器の占める嵩を低減し、物流コストや保管コストを減らすことを目的とする食品用容器に関するものである。
【背景技術】
【０００２】
従来より発泡樹脂製容器の積み重ね高さを低減するための容器として、側壁部の肉厚を底部の肉厚よりも薄く形成したものが提案されていた（特許文献１および２参照）。これらの特許文献に示された容器は、側壁部の厚さを薄くしたことにより原材料の低減を図ることができるとともに、側壁部に沿って延在するフランジの作用により充分に強度を有するトレイを提供している。
【特許文献１】実開平７−４４７２５号公報
【特許文献２】実開昭５７−３５２０６号公報
【発明の開示】
【発明が解決しようとする課題】
【０００３】
しかしながら、これらの特許文献に記載されたトレイ同士は、互いに間隔を保った状態でしか積み重ねることが出来ず積み高さの低減効果は不充分なものであった。そのため、現有の容器の強度を維持したまま、スーパーマーケットにおける汎用スタック棚に対応できる積み重ね高さに低減できるトレイ等の発泡樹脂製容器が要望されていた。
【０００４】
そこで、本発明者は、上記要望に応えることのできる発泡樹脂による食品用容器を提供するにはどうしたらよいかについて、種々検討を重ねてきた結果、本発明を完成したものである。
【０００５】
つまり、本発明の目的とするところは、上記要望に応えることのできる発泡樹脂による食品用容器を提供することである。
【課題を解決するための手段】
【０００６】
上記した目的を達成することのできる本発明による食品用容器としては、請求項１に記載したように、開口部がほぼ長方形を有し、側壁部と底部とが一体に成形された食品用容器であって、前記食品用容器は、食品用容器の側壁部の肉厚を底部の肉厚よりうすくするとともに、底部の厚みが２．５〜４．０ｍｍ、側壁部の厚みが１．５〜３．０ｍｍ、容器側壁部傾斜角θのタンジェントが１．２〜２．３、食品用容器の開口部長手方向の圧縮強度が１５００ｇ以上且つ前記食品用容器を１００枚積み重ねた高さが５００ｍｍ以下であることを特徴としている。
【０００７】
上記請求項１記載の本発明の食品用容器によると、ポリスチレン系樹脂発泡シート（以下「原反」という）から熱成形して得られたトレイ等の食品用容器であって、その底部の厚みと側壁の厚みを薄くするとともに上記した特定範囲に抑え、且つ容器側壁部傾斜の値を上記した特定範囲にすることによって、従来の圧縮強度を維持したままで、積み重ね高さを低減することができたものであり、食品用容器を１００枚積み重ねた高さが５００ｍｍ以下にすることができる。特に、容器側壁部傾斜角θの値を上記した特定範囲にすることで、食品用容器の厚みを薄くしたにもかかわらず、圧縮強度を従来の食品用容器と遜色のないものとすることができたものである。
【０００８】
即ち、圧縮強度については請求項１に記載したように、食品用容器の開口部長手方向の圧縮強度が１５００ｇ以上であることを特徴としている。この圧縮強度は、容器に食品を入れた時の取り扱いや合成樹脂フィルムをラップした時に必要となる強度である。
【０００９】
また、請求項１に従属する請求項２の本発明は、底部中央部が底部端部よりも、側面側から見て底部外面が上方側に位置していることを特徴としている。この請求項２の本発明によると、本発明による食品用容器をテーブル等の載置場所に載置した際、載置面に対して底部外面の全面接触を避けて食品用容器が滑ったり回転したりするのを防止できることになる。
【００１０】
さらに、請求項１に従属する請求項３の本発明は、側壁部には少なくとも一つの階段状の拡幅部分がその全周に亘りかつ底部と平行状態で形成されていることを特徴としている。
【００１１】
この請求項３の本発明によると、側壁部に形成される階段状の拡幅部分によりシートトレイの幅方向に作用する押圧力に対して充分な抵抗を示す。そして、側壁部が肉薄であることと拡幅部分は階段状となっていることとが相まって上下方向に複数個重ね合わせた場合に、シートトレイは相互に密接状態で重合することが可能となり、積み重ね高さを低くすることができスペースの低減効果が生じる。
【００１２】
そして、請求項１に従属する請求項４の本発明は、側壁部の最上部に水平方向に延出するフランジ（周縁部）を有していることを特徴としている。この請求項４の本発明によると、側壁部の最上部に、水平方向に延出するフランジをさらに設けることにより、幅方向に作用する押圧力に対して一層の抵抗を付与することが可能となる。
【発明の効果】
【００１３】
本発明による食品用容器は以下のような効果を発揮できる。
（１）請求項１による食品用容器の場合、
強度を維持しつつ積み重ね時の高さを低減でき、いわゆるロースタックを実現できる。それによって、輸送コスト、在庫保管コスト、段ボール代コスト等の低減をはかることができることに加え、容器に食品を入れた時の取り扱いや、合成樹脂フィルムをラップした時に強度上の問題が生じない。
（２）請求項２による食品用容器の場合、
前記（１）の効果に加え、包装容器を載置した際に載置面との全面接触を避けることができ、滑ったり、回転したりするのを防止できる。
（３）請求項３による食品用容器の場合、
前記（１）の効果に加え、シートトレイの幅方向に作用する押圧力に対して充分な抵抗を示すとともに、上下方向に複数個重ね合わせた場合に、シートトレイは相互に密接状態で重合することが可能となり、積み重ね高さを低くすることができスペースの低減効果が生じる。
（４）請求項４による食品用容器の場合、
前記（１）の効果に加え、幅方向に作用する押圧力に対して一層の抵抗を付与することが可能となる。
【発明を実施するための最良の形態】
【００１４】
次いで、本発明による最良態様について図を参照しながら以下に説明する。図１は本発明に係る食品用容器の斜視図、図２は図１中の１−１線に沿ってみた断面図である。図１において、符号１０は食品用容器の全体を示し、符号１１は側壁部、符号１２は底部、符号１３はリップ部となるフランジ（周縁部）を示している。
【００１５】
本発明の食品用容器１０は、角部は曲線状に面取りされているが、開口部はほぼ長方形状を有している。当該容器１０は上記原反をオーブンで加熱した後、雌型及び雄型を使用して、マッチドモールド成形、プラグアシスト成形等で成形されたものである。この雌型及び雄型には縦横方向にほぼ連続して複数の容器１０に対応した凸部と凹部が形成されている。これによって、一度の成形で複数個の食品用容器１０が成形できる。また、食品用容器１０を１００枚積み重ねた高さが５００ｍｍ以下、より具体的には、４７０ｍｍ以下、特に４５０ｍｍ以下が好ましい。
【００１６】
そして、食品用容器１０の底部１２の厚みが２．５〜４．０ｍｍに成形されている。そして、これより厚みが小さいと圧縮強度が低下することになり、これより厚みが大きいと積み重ね高さが大きくなり、好ましくない。
【００１７】
また、側壁部１１の厚みが１．５〜３．０ｍｍに成形されてあり、これより厚みが小さいと圧縮強度が低下することになり、これより厚みが大きいと積み重ね高さが大きくなり、ロースタックが実現できなくなる。
【００１８】
さらに、容器側壁部傾斜角θは、図４の（ｂ）に示したように、本発明の食品容器１０であるポリスチレン系樹脂発泡シート成形容器について考えた場合、底部１２の延長線と側壁部１１の外面とがなす角である。
【００１９】
そして、本発明のポリスチレン系樹脂発泡シート成形容器１０は、容器側壁部傾斜角θのタンジェントが、好ましくは１．２〜２．３、更に好ましくは１．６〜１．９であることを特徴とする。容器側壁部傾斜角θのタンジェントは、以下の方法により測定される（図４参照）。
【００２０】
容器形状が円形の場合、容器底部の直径をＡｍｍ、容器口径をＢｍｍ、容器深さをＣｍｍと置いた場合、容器側壁部傾斜角θのタンジェントは、図４の（ｃ）で示した式、すなわち、
ｔａｎθ＝Ｃ／（（Ｂ−Ａ）／２）
で表される。
【００２１】
容器形状が矩形の場合、矩形の長辺における容器側壁部傾斜角θのタンジェント、短辺における容器側壁部傾斜角θのタンジェントを求め、数値の大きい方を当該矩形容器における側部傾斜角θのタンジェントとして採用する。それぞれの容器側壁部傾斜角θのタンジェントは、矩形の長辺における底部辺長さをＡ1ｍｍ、長辺における口部辺長さをＢ1ｍｍ、容器深さをＣ1ｍｍと置いた場合は、次の式
ｔａｎθ＝Ｃ1／（（Ｂ1−Ａ1）／２）
であり、矩形の短辺における底部辺長さをＡ2ｍｍ、短辺における口部辺長さをＢ2ｍｍ、容器深さをＣ2ｍｍと置いた場合は、次式で表される。
【００２２】
ｔａｎθ＝Ｃ2／（（Ｂ2−Ａ2）／２）
上記式で得られた容器側部の傾斜角θのタンジェントが２．３より大きいと積み重ね高さが大きくなり、１．２より小さいと圧縮強度が低下することになり、好ましくない。
【００２３】
次に、図２に図示した実施例及び比較例を説明する。食品用容器１０の各部の寸法を以下に示す。底部１２の厚みは、３．０ｍｍで、この底部１２の中央部１２ａは、容器１０の回転を防ぐため２ｍｍ上方に位置している。底部１２の中央側は長辺側および短辺側の何れもが端部側に比べて側面側から見て底部外面が上方側に位置するように成形してあり、底部１２の外面が断面非直線に形成されることになり、載置面と全面接触を避けて容器が滑ったりして回転するのを防ぐことができるのである。
【００２４】
容器１０の側壁部１１上部には階段状の拡幅部分がその全周に亘りかつ底部１２と平行状態で形成されており、さらに側壁１１最上部には略水平に延出するフランジ１３を有している。
側壁部１１の厚み及び側壁部傾斜角θを表１にまとめた。
【００２５】
この容器１０についての、側壁部１１の厚み及び側壁部傾斜角θのタンジェントを表１にまとめた。
表１；              側壁部の厚み（ｍｍ）      側壁部傾斜角θ
のタンジェント
実施例１          ２．２                  １．７
比較例１          ２．２                  １．１
比較例２          １．４                  １．７
図３は、食品用容器１０を５枚重ねた状態を例示する断面図であり、このようにして１００枚重ねたときの高さ（スタック高さ）を実測した。なお、図３においては、正確には認識できないが、スタック状態において、上下の食品用容器１０は側壁部１１が密着し底部１２間にはわずかの隙間が存在している。
【００２６】
スタック高さの測定結果を表２にまとめた。
表２；              １００枚積み重ね高さ（スタック高さ）、ｍｍ
実施例１                      ４５０
比較例１                      ４００
比較例２                      ４４０
＜圧縮強度の測定＞
・測定機器
メーカー：（株）オリエンテック
品  名 ：テンシロン万能試験機ＲＴＣ−１３１０Ａ
・開口部長手方向中央部の圧縮強度（腰強度）測定方法
（株）オリエンテック製の「テンシロン万能試験機ＲＴＣ−１３１０Ａ」を用いて、図２に示した食品用容器１０を短手方向に立てた状態で挟持し、食品用容器１０の長辺側壁部全長を、幅方向に１８ｍｍ圧縮し、この時の最大応力を圧縮強度（ｇ）とした。圧縮スピードは４００ｍｍ／ｍｉｎである。腰強度が低ければ、ラップたわみ量が増加し、トレーを持ったときのたわみ量が増え、実用に耐なくなるが、１５００ｇ以上有れば実用上問題はない。
腰強度の測定結果を表３にまとめた。
表３；            圧縮強度（腰強度）、ｇ
実施例１        １５００
比較例１          ８００
比較例２          ５００
側壁部傾斜角θのタンジェントが１．２より小さい場合（比較例１）や、側壁部の厚みが１．５ｍｍより小さい場合（比較例２）には、スタック高さは５００ｍｍ以下となるものの腰強度の低下が大きく実用に耐えなくなることがわかる。
【００２７】
それに対し、実施例では、汎用されているスーパーマーケットのスタック棚の奥行き寸法内に収納可能となるロースタック性が実現できるとともに、腰強度も１５００ｇあり実用上問題は無い。
【図面の簡単な説明】
【００２８】
【図１】本発明に係る食品用容器の斜視図である。
【図２】図１の１−１繊維沿ってみた断面図である。
【図３】スタック状態を例示する断面図である。
【図４】容器側壁部傾斜角θのタンジェントを定義するものであり、（ａ）は容器の斜視図、（ｂ）は縦断面図、（ｃ）はタンジェントを定義する式である。
【符号の説明】
【００２９】
１０ 食品用容器
１１ 側壁部
１２ 底部
１２ａ 底部中央部
１２ｂ 底部の端部
１３ 周縁部
θ  容器側壁部傾斜角
【図１】
2006076591.tif 000003
【図２】
2006076591.tif 000004
【図３】
2006076591.tif 000005
【図４】
2006076591.tif 000006